(57)【要約】【課題】  電装板に装着された各種電気部品の点検修理を安全に行うことができる空気調和機の室外機を提供すること。【解決手段】  空気調和機の室外機１では、ハウジングを構成するパネルの一つとしてハウジングの内部の冷凍機室１１を区画するためのリアパネル４と、電装板３２が設置された冷凍機室１１をハウジングの内部に区画するための仕切板５との間において、電装板３２を架設して固定しており、電装板３２を仕切板５とリアパネル４に筋交い状にしかっり固定したので、サイドパネルとアッパーパネルを取り外した状態でも、電装板３２に装着された各種電気部品の点検修理を安全に行うことができる。【選択図】  図１
2005114246.tif 000002
【特許請求の範囲】
【請求項１】
複数のパネルで構成された外筐と、前記外筐に内設されるとともに各種電気部品が装着された電装板と、前記電装板が設置された機械室を前記外筐の内部に区画するための仕切板と、を有する空気調和機の室外機において、
前記外筐を構成するパネルの一つとして前記外筐の内部の機械室を区画するためのリアパネルと前記仕切板との間に前記電装板を架設して固定したこと、を特徴とする空気調和機の室外機。
【請求項２】
前記外筐のパネルの一つとして前記外筐の内部の機械室を区画するサイドパネルを着脱自在に設けたこと、を特徴とする請求項１に記載の空気調和機の室外機。
【請求項３】
前記各種電気部品を内装するための開口部が前記サイドパネルの側に設けられるとともに前記電装板に一体化された電装箱を備えたこと、を特徴とする請求項２に記載の空気調和機の室外機。
【請求項４】
前記電装箱が前記仕切板に係着することにより、前記仕切板に対して前記電装箱が一体化されたこと、を特徴とする請求項３に記載の空気調和機の室外機。
【発明の詳細な説明】
【技術分野】
【０００１】
本発明は、各種電気部品が装着された電装板を有する空気調和機（プレハブ式冷蔵庫を含む）の室外機に関するものである。
【背景技術】
【０００２】
従来、大量の野菜や果実その他肉や魚等の生鮮食品を、長期にわたり冷蔵庫や冷凍庫等として、例えば、貯蔵庫本体をプレハブ式の建造物で構成した業務用の冷蔵庫が知られている。この種の大型冷蔵庫では、庫内に配設した冷却ユニットを稼働させるための熱交換ユニットを、貯蔵庫本体の外部に配置している。また、冷房・暖房運転を行う空気調和機においても、室内の冷暖房ユニットに接続する熱交換ユニットを室外機に備えるようになっている。この点、本発明は、プレハブ式冷蔵庫の熱交換ユニット及び空気調和機の熱交換ユニットに関するものであるが、説明の便宜上、それらの熱交換ユニットを空気調和機の室外機と記載する。
【０００３】
従来の空気調和機の室外機は、例えば、下記の特許文献１や特許文献２に記載された概略構成を有している。
【特許文献１】実公平６−３８２５４号公報
【特許文献２】特開２００１−２０１１１４号公報
【０００４】
そこで、上記の特許文献１に記載された空気調和機の室外機の概略構成を図１５に基づいて説明する。図１５は、空気調和機の室外機１１０から筐体１２２を取り外した状態で示す概略構成図であって、ユニット内部には、底板１１２に立設した仕切板１１４により、熱交換室と機械室とに区画されている。そして、熱交換室側の底板１１２には凝縮器１１６と送風ファン１１８とが配置され、機械室側の底板１１２には圧縮機１２０が設置されている。また、トップパネル１２１を設けた筐体１２２により、底板１１２に設置した各種部材を囲繞するようになっている。
【０００５】
前記筐体１２２における機械室を挟んで、仕切板１１４と対向する側面の適宜位置に、筐体１２２の内方に矩形状の凹部１２４が凹設され、この凹部１２４内に後述する電装板１３４に接続する電源系統（図示せず）引出用の開口１２６が開設されている。圧縮機１２０の上方には、例えば、圧縮機１２０や送風ファン１１８の起動用コンデンサ、ヒューズ等の各種電機部品１３２を装着した電装板１３４が着脱自在に配設されている。この電装板１３４は、水平に延在する装着板１３６と、この装着板１３６の長手方向一端に形成され、上方に向けて垂直に延在する第１取付板１３８と、装着板１３６の他端部に形成され、下方に向けて傾斜する第２取付板１４０とから基本的に構成されている。第１取付板１３８の上端は、装着板１３６の延在方向と反対方向に折曲され、この折曲部１３８ａを前記仕切板１１４の上端に引っ掛けた状態で、該折曲部１３８ａがねじ１４２を介して仕切板１１４に固定される。
【０００６】
また、第２取付板１４０の下端は、前記筐体１２２における開口１２６の下方に位置する凹部１２４の内面に当接し得るように折曲されるとともに、この折曲部１４０ａに、凹部１２４の通孔と対応する位置にねじ孔１４４が形成されている。しかるに、凹部１２４の外側から該通孔に挿通したねじを、対応のねじ孔１４４に螺挿することにより、電装板１３４を仕切板１１４と筐体１２２との間に位置決め固定することができる。
【０００７】
また、凹部１２４には、開口１２６を閉塞するカバー１５０が着脱自在に配設されている。このカバー１５０は、凹部１２４に嵌合可能な外径寸法に設定した板材からなり、該カバー１５０の上端を筐体１２２の内側に嵌挿するとともに、カバー１５０を凹部１２４に嵌合することにより、その位置決めがなされる。また、カバー１５０における凹部１２４と対向する位置に複数の通孔１５２が穿設され、各通孔１５２に挿通したねじを凹部１２４に対応的に穿設したねじ孔１５６に螺挿することにより、当該カバー１５０は筐体１２２に位置決め固定される。
【発明の開示】
【発明が解決しようとする課題】
【０００８】
この点、メンテナンスなどのために、トップパネル１２１を設けた筐体１２２を底板１１２から取り外すと、図１５に示すように、電装板１３４の片側が仕切板１１４で支えられているために、電装板１３４が宙に浮いた不安定な状態となり、電装板１３４に装着された各種電機部品１３２を外す際に、電装板１３４が冷凍機部品等に当たり、破損させるおそれがある。また、圧縮機１２０等の各種電機部品１３２の通電状態を確認する場合でも、点検中において、手などが電装板１３４に当たって、電装板１３４が動くことにより、電装板１３４に装着された各種電機部品１３２が筐体１２２などと接触して、感電するおそれがある。
【０００９】
尚、上記特許文献２に記載された構成では、圧縮機等が設置された機械室の下部のメンテナンスが行いにくい。
【００１０】
そこで、本発明は、上述した点を鑑みてなされたものであり、電装板に装着された各種電気部品の点検修理を安全に行うことができる空気調和機の室外機を提供することを課題とする。
【課題を解決するための手段】
【００１１】
この課題を解決するために成された請求項１に係る発明は、複数のパネルで構成された外筐と、前記外筐に内設されるとともに各種電気部品が装着された電装板と、前記電装板が設置された機械室を前記外筐の内部に区画するための仕切板と、を有する空気調和機の室外機において、前記外筐を構成するパネルの一つとして前記外筐の内部の機械室を区画するためのリアパネルと前記仕切板との間に前記電装板を架設して固定したこと、を特徴としている。
【００１２】
また、請求項２に係る発明は、請求項１に記載の空気調和機の室外機であって、前記外筐のパネルの一つとして前記外筐の内部の機械室を区画するサイドパネルを着脱自在に設けたこと、を特徴としている。
【００１３】
また、請求項３に係る発明は、請求項２に記載の空気調和機の室外機であって、前記各種電気部品を内装するための開口部が前記サイドパネルの側に設けられるとともに前記電装板に一体化された電装箱を備えたこと、を特徴としている。
【００１４】
また、請求項４に係る発明は、請求項３に記載の空気調和機の室外機であって、前記電装箱が前記仕切板に係着することにより、前記仕切板に対して前記電装箱が一体化されたこと、を特徴としている。
【発明の効果】
【００１５】
すなわち、本発明の空気調和機の室外機では、外筐を構成するパネルの一つとして外筐の内部の機械室を区画するためのリアパネルと、電装板が設置された機械室を外筐の内部に区画するための仕切板との間において、電装板を架設して固定しており、電装板を仕切板とリアパネルに筋交い状にしかっり固定したので、電装板に装着された各種電気部品の点検修理を安全に行うことができる。
【００１６】
また、本発明の空気調和機の室外機において、外筐のパネルの一つとして外筐の内部の機械室を区画するサイドパネルを着脱自在に設ければ、サイドパネルを取り外すと、機械室に設置された電装板がしかっり固定された状態で露出するので、電装板に装着された各種電気部品の点検修理を容易に行うことができる。
【００１７】
また、本発明の空気調和機の室外機において、各種電気部品を内装するための開口部がサイドパネルの側に設けられるとともに電装板に一体化された電装箱を備えれば、サイドパネルを取り外すと、電装板に一体化された電装箱の開口部が露出するので、電装箱に内装された各種電気部品の点検修理を安全且つ容易に行うことができるとともに、点検修理の際に、上から埃や水滴などが落下しても、電装箱の開口部はサイドパネルの側に設けられているため、電装箱に内装された各種電気部品にかかることはない。
【００１８】
また、本発明の空気調和機の室外機において、電装箱が仕切板に係着することにより、仕切板に対して電装箱が一体化されれば、外筐を構成するパネルを取り外す際に、電装箱が誤って落下することを防止できる。
【発明を実施するための最良の形態】
【００１９】
以下、本発明の実施の形態を図面を参照にして説明する。本実施の形態の空気調和機の室外機の斜視図を図１に示す。図１に示すように、本実施の形態の空気調和機の室外機１には、ベースパネル２に対して、フロントパネル３やリアパネル４やワイヤ製のルーパー２１などが組み付けられている。
【００２０】
また、図３に示すように、本実施の形態の空気調和機の室外機１では、フロントパネル３とリアパネル４との間にはサイドパネル３９が組み付けられ、さらに、フロントパネル３とリアパネル４とワイヤ製のルーパー２１の上にはアッパーパネル４０が組み付けられる。さらに、ベースパネル２に対してバルブブラケット４１が組み付けられおり、リアパネル４とサイドパネル３９が組み付けられた際に形成される開口部をバルブブラケット４１が塞ぐ構造になっている。尚、サイドパネル３９には、凸形状のカバー４２がスポット溶接されている。従って、ベースパネル２やフロントパネル３やリアパネル４やワイヤ製のルーパー２１に、サイドパネル３９とアッパーパネル４０などを加えて、本実施の形態の空気調和機の室外機１のハウジングが構成される。
【００２１】
また、図１に示すように、本実施の形態の空気調和機の室外機１のハウジング内は、仕切板５によって、凝縮器用ファン６や凝縮器７などが設置された凝縮器室８と、圧縮機９やアキュムレータ１０などが設置された冷凍機室１１に区画されている。尚、符号１２は、凝縮器７で凝縮された冷媒の一部を圧縮機９に戻すためのソレノイドバルブである。また、符号１３は、凝縮器７で凝縮された冷媒の一部を圧縮機９に戻す経路となる液インジェクションキャピラリーである。尚、図面では、液インジェクションキャピラリー１３は、平らな形状をしているが、これは、他の配管や機器との接触を避けるため、まわりをクッションで覆っているからである。また、符号７８は、冷凍回路の構成要素の一つであるドライヤである。さらに、アキュムレータ１０の真下には、複数の吸気口１５がベースパネル２に設けられている。また、ベースパネル２に立設されたバルブブラケット４１からは高圧用・低圧用の操作弁７４が突設されている。
【００２２】
そして、本実施の形態の空気調和機の室外機１では、端子台３１などが装着された電装板３２の一端側が、リアパネル４にビス３５で固定される。一方、電装板３２の他端側は、各種電機部品が内装された電装箱３３の背面の上部と溶接固定で一体化される。さらに、電装箱３３は、フロントパネル３にビス３４で固定される。このとき、図３に示すように、電装板３２の端子台３１等の取付面は、サイドパネル３９の方面を向いている。また、図２に示すように、電装箱３３の上面端には引掛片３６が形成され、仕切板５の上端部にはスリット３７が形成されており、電装箱３３の引掛片３６を仕切板５のスリット３７に掛入させることにより、電装箱３３は仕切板５に固定される。これにより、電装板３２は、電装箱３３を介して、仕切板５に固定される。また、仕切板５の倒れが防止されるとともに仕切板５の位置が固定される。さらに、フロントパネル３の剛性が補われる。
尚、電装板３２の他端側は、各種電機部品が内装された電装箱３３の背面の上部に対して、溶接固定の他に、リベットやネジなどで固定してもよい。
【００２３】
以上より、電装板３２は、リアパネル４と仕切板５とに筋交いに固定されるので、手が当たっても動くようなことはなく、破損や感電などを回避することができる。また、電装箱３３の引掛片３６を仕切板５のスリット３７に掛入させることにより、電装箱３３は仕切板５に固定されるため、フロントパネル３からビス３４を外しても、仕切板５から電装箱３３が落下することはない。
【００２４】
また、電装箱３３には、サイドパネル３９（図３参照）に向かう正面においてカバー３８が設けられている。この点、カバー３８は電装箱３３から取り外しが可能であるが、これは、上述したように、電装箱３３の背面の上部で電装板３２の他端側が固定されていることによる。そして、カバー３８を外せば、電装箱３３の開口部を露出させることができる。従って、アッパーカバー４０（図３参照）を外さなくても、サイドパネル３９（図３参照）を外すだけで、電装箱３３の開口部を露出させることができ、電装箱３３の開口部を介して、電装箱３３内の各種電機部品の点検・修理を行うことができる。また、電装箱３３の開口部が横方向に向いているため、埃や水滴などが上から落下しても、電装箱３３内の各種電機部品に直接かかることはない。
【００２５】
次に、図４〜図６に基づいて、電源線及びユニット間コードの配線の手順について説明する。図４〜図６は、本実施の形態の空気調和機の室外機１の電源線５１及びユニット間コード５２の配線時の概要を示したものである。本実施の形態の空気調和機の室外機１では、図４に示すように、バルブブラケット４１に配線取入口５３が形成されている。この点、配線取入口５３は、バルブブラケット４１にあけた穴に膜付のグロメットを取り付けたものである。そして、図６に示すように、サイドパネル３９を取り外した後に、配線取入口５３に対して、電源線５１及びユニット間コード５２を挿入する。その際には、配線取入口５３の膜をカッター等で必要最小限の大きさに切って、電源線５１及びユニット間コード５２を差し込む。さらに、配線取入口５３に挿入された電源線５１及びユニット間コード５２は、図６に示すように、配線取入口５３の上部において、クランプ５５で束ね、さらに、図５に示すように、電装板３２において、固定バンド５６で電装板３２に沿うように固定する。これにより、電源線５１及びユニット間コード５２が配管等と接触することにより損傷することを防いでいる。また、固定バンド５６は、電源線５１やユニット間コード５２が引っ張られて力が作用することにより、端子台３１や配線コネクタ５４が損傷することを防いでいる。そして、配線取入口５３の上部では、配線取入口５３に挿入された電源線５１を、図５に示すように、電装板３２の端子台３１に接続し、配線取入口５３に挿入されたユニット間コード５２を、図５に示すように、配線コネクタ５４に接続する。尚、配線コネクタ５４は、電装箱３３のリアパネル（背面）の下部から延出したコード類の先端に接続されたものである。その後、サイドパネル３９を組み付けると、電源線５１及びユニット間コード５２の配線作業が終了がするが、このとき、サイドパネル３９にスポット溶接されたカバー４２が配線取入口５３を覆うので、風雨・外力などから保護することができる。また、電装板３２の上端と電装箱３３の上端は一致しており、電装板３２及び電装箱３３は同一の高さで左右に並んでいる。従って、サイドパネル３９や電装箱３３のカバー３８を取り外したときに、室外機１の正面側・側面側のどちらの側においても、電装板３２における電源線５１やユニット間コード５２等の接続経路が見やすく、作業が行い易い。
【００２６】
従って、本実施の形態の空気調和機の室外機１では、電源線５１及びユニット間コード５２が差し込まれる配線取入口５３をバルブブラケット４１に設けるとともに、配線取入口５３を覆うカバー４２をサイドパネル３９にスポット溶接で一体化しており、電源線５１及びユニット間コード５２を配線取入口５３から差し抜かなくても、サイドパネル３９を取り外してメンテナンスを行えるようになったので、作業時間の短縮を図ることができる。また、メンテナンスの際には、配線取入口５３に挿入された電源線５１は電装板３２の端子台３１に接続された状態が維持されるので、電装板３２の端子台３１への電源線５１の締付忘れや締付不備の発生率が減り、故障の確率が減少した。
【００２７】
また、本実施の形態の空気調和機の室外機１では、配線取入口５３の上部に端子台３１が配置され、配線取入口５３と端子台３１との距離を広げるとともに高低差を大きくしたので、漏電・絶縁劣化を確実に防ぐことができる。
【００２８】
また、本実施の形態の空気調和機の室外機１では、配線取入口５３がバルブブラケット４１に設けられるとともに電装板３２に端子台３１が設けられており、配線取入口５３と端子台３１との間は板金等でつながっておらず、また、配線取入口５３と端子台３１との距離は広く高低差も大きい。従って、暴風により雨水などが配線取入口５３から侵入したとしても、電源線５１などをつたわって配線取入口５３から端子台３１に雨水がさかのぼるような事態は起きず、ベースパネル２に滴下するので、端子台３１に雨水が浸入することがなく、漏電を確実に防ぐことが可能となる。
【００２９】
次に、図７〜図１１に基づいて、リアパネル４やフロントパネル３に対するサイドパネル３９の組み付け手順について説明する。図７は、サイドパネル３９の斜視図である。また、図８〜図１１は、サイドパネル３９をリアパネル４に組み付け手順の概要を示した図である。図７に示すように、サイドパネル３９は、内側に曲げ加工が行われて単体の剛性が確保されるとともに、当該内側曲部に複数の係止爪３９Ａが上方向の向きで設けられている。一方、サイドパネル３９が組み付けられるリアパネル４やフロントパネル３には、図１に示すように、複数のスリット３Ａ，４Ａが設けられている。
【００３０】
ここで、サイドパネル３９をリアパネル４に組み付ける手順について説明すると、先ず、図８に示すように、サイドパネル３９を持ち上げて、サイドパネル３９の係止爪３９Ａをリアパネル４のスリット４Ａに差し込む。このとき、図９に示すように、サイドパネル３９の上部をアッパーパネル４０の内側に潜り込ませながら、サイドパネル３９の係止爪３９Ａをリアパネル４のスリット４Ａに差し込む。そして、図１０及び図１１に示すようにして、リアパネル４に対してサイドパネル３９を引き寄せながら持ち上げることにより、サイドパネル３９の係止爪３９Ａをリアパネル４のスリット４Ａに引っ掛けた後、図７に示すようにして、サイドパネル３９をベースパネル２にねじ６１で固定する。この点、リアパネル４のスリット４Ａはサイドパネル３９の係止爪３９Ａよりも大きく形成されており、さらに、サイドパネル３９の係止爪３９Ａは傾斜部とアール部で構成されているので、サイドパネル３９の係止爪３９Ａはリアパネル４のスリット４Ａに差し込みやすく、また、サイドパネル３９の係止爪３９Ａがリアパネル４のスリット４Ａに差し込まれた後において、リアパネル４に対してサイドパネル３９を引き寄せながら持ち上げることが容易となる。
【００３１】
また、同様にして、サイドパネル３９をフロントパネル３に組み付けるが、サイドパネル３９の係止爪３９Ａについては、フロントパネル３のスリット３Ａに差し込まれるものとリアパネル４のスリット４Ａに差し込まれるものの何れも、上方向の同じ向きで設けられているので、フロントパネル３とリアパネル４にサイドパネル３９を同時に組み付けることができる。
【００３２】
従って、本実施の形態の空気調和機の室外機１では、圧縮機９やアキュムレータ１０などが設置された冷凍機室１１に対してメンテナンスが必要となった場合には、サイドパネル３９をベースパネル２に固定するためのねじ６１を外せば、フロントパネル３とリアパネル４からサイドパネル３９が着脱が可能となるので、冷凍機室１１以外の場所に設置されたメンテナンス対象外の機器等を露出させることがなく、それらの機器で切傷するような危険を防止することができる。
【００３３】
また、本実施の形態の空気調和機の室外機１では、ハウジングの側面部分を、フロントパネル３やリアパネル４やワイヤ製のルーパー２１やサイドパネル３９の４分割で構成しており、ハウジングの側面部分を構成するパネル自体を小型化されて取り扱いが容易となる。また、フロントパネル３とリアパネル４に対してサイドパネル３９を組み付ける構造として、図８及び図１０に示すように、着脱構造を採用しており、ねじ締結箇所が減少したので、メンテナンスを行うサービス時間の短縮を図ることができる。
【００３４】
また、本実施の形態の空気調和機の室外機１においては、フロントパネル３とリアパネル４からサイドパネル３９を外す場合には、図８及び図１０に示す手順の逆を行えばよく、フロントパネル３とリアパネル４に対してサイドパネル３９を引き寄せながら持ち下げればよいので、大型のプレハブ式冷蔵庫等を含めて本実施の形態の空気調和機の室外機１が複数設置される場合に２段積みで設置されたときでも、フロントパネル３とリアパネル４に対してサイドパネル３９を着脱する作業が行いやすい。
【００３５】
また、本実施の形態の空気調和機の室外機１では、図３に示すように、サイドパネル３９がＬ字形状を有しており、フロントパネル３とリアパネル４からサイドパネル３９を外すと、正面から側面にかけて冷凍機室１１が露出するので、メンテナンスのための露出開口空間を大きく確保することができる。
【００３６】
以上詳細に説明したように、本実施の形態の空気調和機の室外機１では、ベースパネル２やフロントパネル３やリアパネル４やワイヤ製のルーパー２１に加えて、サイドパネル３９とアッパーパネル４０などにより構成されたハウジングと、ハウジングに内設されるとともに端子台３１などが装着された電装板３２と、電装板３２が設置された冷凍機室１１をハウジングの内部に区画するための仕切板５と、を有し、さらに、電装板３２に溶接固定されて一体化された電装箱３３を介して、ハウジングを構成するパネルの一つとしてハウジングの内部の冷凍機室１１を区画するためのリアパネル４と仕切板５との間に電装板３２を架設して固定している。
【００３７】
すなわち、本実施の形態の空気調和機の室外機１では、ハウジングを構成するパネルの一つとしてハウジングの内部の冷凍機室１１を区画するためのリアパネル４と、電装板３２が設置された冷凍機室１１をハウジングの内部に区画するための仕切板５との間において、電装板３２を架設して固定しており、電装板３２を仕切板５とリアパネル４に筋交い状にしかっり固定したので、サイドパネル３９とアッパーパネル４０を取り外した状態でも、電装板３２に装着された各種電気部品の点検修理を安全に行うことができる。
【００３８】
また、本実施の形態の空気調和機の室外機１では、ハウジングのパネルの一つとしてハウジングの内部の冷凍機室１１を区画するサイドパネル３９を着脱自在に設けており、サイドパネル３９を取り外すと、冷凍機室１１に設置された電装板３２がしかっり固定された状態で露出するので、電装板３２に装着された各種電気部品の点検修理を容易に行うことができる。
【００３９】
尚、冷凍機室１１に設置された電装板３２は、冷凍機室１１の上部に設置されているので、サイドパネル３９を取り外すと、冷凍機室１１の下部に設置されている圧縮機９等の機器類の点検修理を安全且つ容易にに行うことができる。
【００４０】
また、本実施の形態の空気調和機の室外機１では、各種電気部品を内装するための開口部がサイドパネル３９の側に設けられるとともに電装板３２に溶接固定で一体化された電装箱３３を備えており、サイドパネル３９を取り外せば、アッパーパネル４０を取り外さなくても、電装板３２に溶接固定で一体化された電装箱３３の開口部が露出するので、電装箱３３に内装された各種電気部品の点検修理を安全且つ容易に行うことができるとともに、点検修理の際に、上から埃や水滴などが落下しても、電装箱３３の開口部はサイドパネル３９の側に設けられているため、電装箱３３に内装された各種電気部品にかかることはない。
【００４１】
また、本実施の形態の空気調和機の室外機１では、電装箱３３の引掛片３６を仕切板５のスリット３７に掛入させて、電装箱３３が仕切板５に係着することにより、仕切板５に対して電装箱３３が一体化されており、ハウジングを構成するフロントパネル３をビス３４を緩めて取り外す際に、電装箱３３が誤って落下することを防止できる。
【００４２】
尚、本発明は上記実施の形態に限定されるものでなく、その趣旨を逸脱しない範囲で様々な変更が可能である。
例えば、バルブブラケット４１を図１２に示す構造にしてもよい。すなわち、バルブブラケット４１の下部は、ベースパネル２の右側面・背面・底面に当接させてねじ固定できる形状にし、バルブブラケット４１が変形しないようにベースパネル２にしっかり固定できるようにする。また、バルブブラケット４１の正面側は、曲げ形状にし、剛性と後述する受台７２の取付面を確保するようにする。
【００４３】
そして、バルブブラケット４１は、箱部材７１と受台７２を溶接固定された構造にする。また、バルブブラケット４１には開口部７３を設け、この開口部７３において、操作弁７４が接続された配管７５が組み付けできるようにする。さらに、バルブブラケット４１の配線取入口５３に切欠７６を連通させ、この切欠７６に案内させて、電源線５１及びユニット間コード５２を挿通させたスリーブ７７を配線取入口５３に嵌装できるようにする。また、箱部材７１においては、高圧用・低圧用操作弁７４の配管７５を通す丸穴７９と、高圧用・低圧用操作弁７４を固定するためのねじ穴８０と、バルブブラケット４１に溶接固定するためのフランジ部８１とを設けるようにする。そして、受台７２においては、ドライヤ７８を載せるための受面８２を形成し、この受面８２に対して、ドライヤ７８からのリードパイプ８３を逃す切欠８４を設けるようにする。
【００４４】
そして、本実施の形態の空気調和機の室外機１において、バルブブラケット４１を図１２に示す構造にすると、高圧用・低圧用操作弁７４がハウジングから離れた場所に位置するので、図１３及び図１４に示すように、連通配管８５のフレアナット８６や高圧用・低圧用操作弁７４の本体にスパナＲ１，Ｒ２を掛けやすくなり、締結作業が容易となる。また、高圧用・低圧用操作弁７４が剛性の高い箱部材７１に固定されているので、上記の締結作業の際に、高圧用・低圧用操作弁７４がねじれ変形することがない。また、受台７２にドライヤ７８が載置される構成にしているので、ドライヤ７８の交換時に、ドライヤ７８を支えながら溶接を行う必要がない。また、バルブブラケット４１の下部は、ベースパネル２の右側面・背面・底面に当接させてねじ固定できる形状にし、バルブブラケット４１が変形しないようにベースパネル２にしっかり固定されているので、上記の締結作業の際において、また、配管７５の形取りの際において、バルブブラケット４１の倒れやねじりを防止することができる。
【００４５】
尚、図１２〜図１４においては、説明の便宜上、高圧用・低圧用操作弁７４の一方が記載されており、他方の記載は省略されている。
【産業上の利用可能性】
【００４６】
本発明は、電装板に装着された各種電気部品を外筐の一部を外してメンテナンスする必要があるものに適用がある。
【図面の簡単な説明】
【００４７】
【図１】本発明の一実施の形態による空気調和機の室外機の斜視図である。
【図２】本発明の一実施の形態による空気調和機の室外機において、電装板を取り付ける状況を示した分解斜視図である。
【図３】本発明の一実施の形態による空気調和機の室外機の分解斜視図である。
【図４】本発明の一実施の形態による空気調和機の室外機において、電源線及びユニット間コードの配線時の状況を示した分解斜視図である。
【図５】本発明の一実施の形態による空気調和機の室外機において、電源線及びユニット間コードの配線時の状況を示した分解斜視図である。
【図６】本発明の一実施の形態による空気調和機の室外機において、電源線及びユニット間コードの配線時の状況を示した分解斜視図である。
【図７】本発明の一実施の形態による空気調和機の室外機において、サイドパネルを示した斜視図である。
【図８】本発明の一実施の形態による空気調和機の室外機において、サイドパネルをリアパネルに組み付け手順の概要を示した図である。
【図９】本発明の一実施の形態による空気調和機の室外機において、サイドパネルをリアパネルに組み付け手順の概要を示した図である。
【図１０】本発明の一実施の形態による空気調和機の室外機において、サイドパネルをリアパネルに組み付け手順の概要を示した図である。
【図１１】本発明の一実施の形態による空気調和機の室外機において、サイドパネルをリアパネルに組み付け手順の概要を示した図である。
【図１２】本発明の一実施の形態による空気調和機の室外機において、バルブブラケットの構造の一例を示した分解斜視図である。
【図１３】本発明の一実施の形態による空気調和機の室外機において、バルブブラケットの高圧用・低圧用操作弁に連通配管を締結する状況を示す斜視図である。
【図１４】本発明の一実施の形態による空気調和機の室外機において、バルブブラケットの高圧用・低圧用操作弁と連通配管の位置関係を示す斜視図である。
【図１５】背景技術の空気調和機の室外機の概略構成図である。
【符号の説明】
【００４８】
１  空気調和機の室外機
２  ベースパネル
３  フロントパネル
４  リアパネル
５  仕切板
１１  冷凍機室
２１  ワイヤ製のルーパー
３１  端子台
３２  電装板
３３  電装箱
３６  電装箱の引掛片
３７  仕切板のスリット
３９  サイドパネル
１  アッパーパネル
【図１】
2005114246.tif 000003
【図２】
2005114246.tif 000004
【図３】
2005114246.tif 000005
【図４】
2005114246.tif 000006
【図５】
2005114246.tif 000007
【図６】
2005114246.tif 000008
【図７】
2005114246.tif 000009
【図８】
2005114246.tif 000010
【図９】
2005114246.tif 000011
【図１０】
2005114246.tif 000012
【図１１】
2005114246.tif 000013
【図１２】
2005114246.tif 000014
【図１３】
2005114246.tif 000015
【図１４】
2005114246.tif 000016
【図１５】
2005114246.tif 000017